(57)【特許請求の範囲】
【請求項１】
送信側装置と受信側装置とにより構成されるカラーファクシミリシステムにおいて、
送信側装置は、カラー画情報であることを識別させる識別信号と共にモノクロ画情報を受信側装置に送信する手段と、識別信号およびモノクロ画情報の送信後において、識別信号を利用した受信側装置からの要求に応じて、識別信号と共に送信したモノクロ画情報に対応するカラー画情報を送信する手段とを備え、
受信側装置は、送信側装置から受信したモノクロ画情報を識別信号と共に出力する手段と、識別信号およびモノクロ画情報の出力後において、識別信号を利用して送信側装置にカラー画情報の送信を要求する手段と、該要求に応答して送信側装置から送信されたカラー画情報を受信する手段とを備えることを特徴とするカラーファクシミリシステム。
【請求項２】
送信側装置は、識別信号をファクシミリ通信手順中のフレームに記述して送信することを特徴とする請求項１記載のカラーファクシミリシステム。
【請求項３】
受信側装置は、検出したファクシミリ通信手順中に、カラーであることの印字指定があったとき、受信した識別信号を記憶し、モノクロ画情報と共に識別信号を出力することを特徴とする請求項１又は２記載のカラーファクシミリシステム。
【請求項４】
送信側装置は、検出したファクシミリ通信手順中に、カラー印字設定があるとき、モノクロ画情報と共に識別信号を受信側装置に送信することを特徴とする請求項１〜３のいずれかに記載のカラーファクシミリシステム。
【請求項５】
送信側装置は、受信側装置からのファクシミリ通信手順中に、カラー画情報の送信要求があった場合、カラー画情報を送信することを特徴とする請求項１〜４のいずれかに記載のカラーファクシミリシステム。
【発明の詳細な説明】
【０００１】
【発明の属する技術分野】
本発明は、カラー画像を送信できるカラーファクシミリシステムに関するものである。
【０００２】
【従来の技術】
近年、ファクシミリ装置が普及してきたが、ファクシミリ装置でのコピーのカラー化にともない、送信画像を、白黒画像に代わってカラーで送信したいという要求が高まってきた。
【０００３】
【発明が解決しようとする課題】
しかしながら、送信画像は、必ずしもカラー画情報が必要である場合ばかりでなく、モノクロ画像で十分である場合が多い。
【０００４】
そこで、本発明の目的は、上記課題を解決し、カラー画像を送信できるファクシミリ装置でカラー画情報が必要な場合だけカラー送信することのできるカラーファクシミリシステムを提供することにある。
【０００５】
【課題を解決するための手段】
上記目的を達成するために請求項１の発明は、送信側装置と受信側装置とにより構成されるカラーファクシミリシステムにおいて、
送信側装置は、カラー画情報であることを識別させる識別信号と共にモノクロ画情報を受信側装置に送信する手段と、識別信号およびモノクロ画情報の送信後において、識別信号を利用した受信側装置からの要求に応じて、識別信号と共に送信したモノクロ画情報に対応するカラー画情報を送信する手段とを備え、
受信側装置は、送信側装置から受信したモノクロ画情報を識別信号と共に出力する手段と、識別信号およびモノクロ画情報の出力後において、識別信号を利用して送信側装置にカラー画情報の送信を要求する手段と、該要求に応答して送信側装置から送信されたカラー画情報を受信する手段とを備えることを特徴とするカラーファクシミリシステムである。
【０００６】
本発明において、送信側装置は、識別信号をファクシミリ通信手順中のフレームに記述して送信するようにしても、受信側装置は、検出したファクシミリ通信手順中に、カラーであることの印字指定があったとき、受信した識別信号を記憶し、モノクロ画情報と共に識別信号を出力するようにしても、また、送信側装置は、検出したファクシミリ通信手順中に、カラー印字設定があるとき、モノクロ画情報と共に識別信号を受信側装置に送信するようにしても、送信側装置は、受信側装置からのファクシミリ通信手順中に、カラー画情報の送信要求があった場合、カラー画情報を送信するようにしてもよい。
【０００８】
【発明の実施の形態】
以下、本発明の好適一実施の形態を添付図面に基づいて詳述する。
【０００９】
図１は、本発明のカラーファクシミリシステムのファクシミリ装置のブロック回路図を示したものである。
【００１０】
図において、１０は、ＣＰＵを含む信号処理部で、カラー或いは白黒画像の圧縮のための符号化／復号化回路１１と、カラー／白黒変換部１２とを備えている。
【００１１】
この信号処理部１０は、回線制御部（ＮＣＵ）１３を介して公衆回線１４に接続される。また信号処理部１０には、ＲＯＭ１５、ＲＡＭ１６、ＣＣＤカメラからなる読取部１７、カラープリンタからなる記録部１８、操作部１９、表示部２０、画像メモリ２１が接続される。
【００１２】
信号処理部１０は、読取部１７で読み取ったカラー画情報を、画像メモリ２１に格納するが、送信の際には、基本的にはカラー原稿をカラー／白黒変換部１１で白黒画像情報として送信し、その白黒画情報に、画像がカラーである識別信号をファクシミリ送信手順中のフレームに記述して送信する。
【００１３】
受信側では、白黒画情報を記録部１８に出力すると共に識別信号からその白黒画情報が、元々カラー画情報であることを認識し、白黒画情報にカラーであることを表示して出力する。
【００１４】
また、受信時、カラー画情報を必要とするとき、白黒画情報を受信した後に、識別コードを送信側に送り、送信側では、この識別コードを受けて、画像メモリ２１に格納されたカラー画情報を受信側に送信できるようになっている。
【００１５】
また白黒画像を受信してＦＡＸ通信を終えた後、カラー画情報を欲しいときは、受信側がポーリング受信により送信側の画像メモリ２１に格納されたカラー画情報を受信できるようになっている。
【００１６】
図２は、Ｔ．３０勧告によるバイナリーコードファクシミリ制御手順のＨＤＬＣフレーム構成を示したものである。
【００１７】
このフレーム構成は、プリアンブル２４とバイナリーコード情報２５からなり、そのバイナリーコード情報２５が、非標準機能（ＮＳＦ）フレーム２６と被呼端末識別（ＣＳＩ）フレーム２７とディジタル識別（ＤＩＳ）フレーム２８からなり、ディジタル識別（ＤＩＳ）フレーム２８が、フレーム２８の始めと終わりを示すフラグシーケンス２９、ＨＤＬＣアドレスフィールド３０、ＨＤＬＣ制御フィールド３１、ファクシミリ制御フィールド（ＦＣＦ）３２、ファクシミリ情報フィールド（ＦＩＦ）３３、フレームチェックシーケンス３４から構成される。
【００１８】
カラー画情報である識別信号は、ファクシミリ制御フィールド３２中のＮＳＦ（非標準機能）、ＮＳＣ（非標準機能命令）、ＮＳＳ（非標準機能）に含ませておく。
【００１９】
図３は、受信側のフローチャートを示したものである。
【００２０】
受信が開始３５され、着信３６した後、ＮＳＦにカラー印字指定３７をし、送信側にＤＩＳとＮＳＦを送出３８し、ｓｔｅｐ１で、送信側からのＤＩＳとＮＳＳを検出したかどうかを判断し、検出したとき（ＹＥＳ）、ｓｔｅｐ２で、検出したＮＳＳ中にカラーであることの印字指定があったとき（ＹＥＳ）、識別コードとカラー通知コードをＲＡＭに記憶３９し、モノクロ画像に識別コードとカラー通知コードを印字出力４０した後、回線断４１して受信を終了４２する。ｓｔｅｐ１の判断で、送信側からのＤＩＳとＮＳＳを検出しないとき（ＮＯ）、ｓｔｅｐ３で、タイムオーバを検出し、時間内なら（ＮＯ）、ｓｔｅｐ１に戻し、タイムオーバーしたなら（ＹＥＳ）、回線断４１とする。
【００２１】
また、ｓｔｅｐ２の判断で、ＮＳＳ中にカラーであることの印字指定がなされていないとき（ＮＯ）、モノクロ画像を印字出力４３して回線断４１とする。
【００２２】
図４は、送信側のフローチャートを示したものである。
【００２３】
送信が開始４５され、ｓｔｅｐ１で原稿がセットされているかどうかを判断し、原稿がセットされていたなら、スタートボタンを押下４６、カラー原稿の読み取りを開始４７する。この読み取り後、カラー読取画情報を識別コードを付加して画像メモリに記憶４８する。次に受信側を呼出４９し、ｓｔｅｐ２で、受信側からのＤＩＳとＮＳＦを検出したかどうかを判断し、検出したなら（ＹＥＳ）、ｓｔｅｐ３の判断で、受信側からのＮＳＦ中にカラー印字設定があるかどうかを判断し、カラー印字設定があるとき（ＹＥＳ）、受信側に送信するＮＳＳに識別コードを付すと共にカラー通知コードを指定５０した後、ＤＣＳ（ディジタル命令信号）とＮＳＳを送出５１し、カラー画像をモノクロ画像に変換した信号を送出５２した後、回線断５３として送信を終了５４する。
【００２４】
ｓｔｅｐ２の判断で、受信側からのＤＩＳとＮＳＦを検出しないとき（ＮＯ）、ｓｔｅｐ４で、タイムオーバを検出し、時間内なら（ＮＯ）、ｓｔｅｐ２に戻し、タイムオーバーしたなら（ＹＥＳ）、回線断５３とする。
【００２５】
また、ｓｔｅｐ３の判断で、ＮＳＦ中にカラーであることの印字指定がなされていないとき（ＮＯ）、カラー画像をモノクロ画像に変換した信号を送信５５して回線断５３とする。
【００２６】
図５は、カラー画情報を白黒画情報として送信した後、受信側からの要求で、カラー画情報を送信する伝送制御手順を示したものである。
【００２７】
送信側で、カラー原稿セット、又はコピーをした後、受信側にダイヤルして１６Ｈｚの呼出信号を送出して受信側のリンガを駆動し、受信側のフックスイッチが閉じて着信を検出したなら、ＣＮＧ（発呼トーン）を受信側に送出し、受信側からのＣＥＤ（被呼局識別）を検出し、受信側からＮＳＦ、ＣＳＩ（発呼端末識別）、ＤＩＳ（ディジタル識別信号）を検出し、そのＮＳＦから図４で説明したように識別コードを検出し、受信側のＤＩＳで通信速度等を決定した後、受信側に識別コードを含むＮＳＳ、ＴＳＩ（送信端末識別）、ＤＣＳ（ディジタル命令信号）を送信し、トレーニング＋ＴＣＦ（トレーニングチェック）を送出し、受信側からのＣＦＲ（受信準備確認）を受け取った後、モノクロ画信号を送信する。
【００２８】
また、受信側からのＮＳＦにカラー画情報の送信要求があったなら、モード変更ありとし、ＥＯＭ（メッセージ終了）を送出し、受信側からＭＣＦ（メッセージ確認）を受け、ＮＳＦ、ＣＳＩ、ＤＩＳを受け、ＮＳＳ、ＴＳＩ、ＤＣＳを送出した後、トレーニング＋ＴＣＦ（トレーニングチェック）を送出し、受信側からのＣＦＲ（受信準備確認）を受け取った後、カラー画信号を送信した後、ＥＯＰ（手順終了）を送出し、受信側からＭＣＦを受け取った後、ＤＣＮ（切断命令）を送出してＦＡＸ通信を終了する。
【００２９】
このように、送信側で白黒画情報を送信した後、受信側からの要求でカラー画情報を送信できる。
【００３０】
図６は、受信側（送信側）からカラー画情報を白黒画情報として受信した後、送信側（受信側）がカラー画情報を欲しい場合、ポーリング受信でカラー画情報を受信できる手順を示したものである。
【００３１】
図６において、送信側（受信側）で、宛先指定と識別コードの入力を行った後、選択信号と１６Ｈｚ呼出信号を送出した後、ポーリング受信のための極性反転を行い、ＣＮＧを送出し、ＣＥＤを受信し、識別コードと印字指定を含んだＮＳＦ、ＣＳＩ、ＤＩＳを受信した後、識別コードを含むＮＳＣ、ＣＩＧ（ポーリング受信時の発呼端末識別）、ＤＴＣ（ポーリング時のディジタル送信命令）を送信し、受信側（送信側）からのＮＳＳ、ＴＳＩ、ＤＣＳ、トレーニング＋ＴＣＦを受信してＣＦＲを送出した後、カラー画信号を受信する。カラー画信号が複数ページあるときは、ＭＰＳ（マルチページ信号）を受け、ＭＣＦを送出し、次のカラー画信号を受信し、送信原稿がないときは、ＥＯＰを受信後、ＭＣＦを送出し、ＤＣＮを受信してポーリング受信を終了する。
【００３２】
このように、白黒画情報の受信後にカラー画情報をポーリング受信することができる。
【００３３】
【発明の効果】
以上要するに本発明によれば、カラー画情報を白黒画情報として受け取っても、原稿がカラーであることを確認できると共に必要なカラー画情報のみを自動発呼で或いはポーリング受信で受けることができる。
【図面の簡単な説明】
【図１】本発明のカラーファクシミリシステムにおけるファクシミリ装置のブロック回路図を示す図である。
【図２】本発明において、バイナリーコードファクシミリ制御手順のＨＤＬＣフレーム構成を示す図である。
【図３】本発明において、受信側のフローチャートを示す図である。
【図４】本発明において、送信側のフローチャートを示す図である。
【図５】本発明において、白黒画情報を受信後、カラー原稿を受信する手順を示す図である。
【図６】本発明において、カラー原稿をポーリング受信する手順を示す図である。
【符号の説明】
１０  信号処理部
１２  カラー／白黒変換部
１７  読取部
１８  記録部
２１  画像メモリ
【図１】
0003721729.tif 000002
【図２】
0003721729.tif 000003
【図３】
0003721729.tif 000004
【図４】
0003721729.tif 000005
【図５】
0003721729.tif 000006
【図６】
0003721729.tif 000007